(57)【要約】      （修正有）【課題】持ち物を収容体に収容し、かつ当該収容体も収容体に収容した状態で携行する場合において、複雑な管理を要することなく持ち物の収容状態を判断することのできる持ち物確認システム及び持ち物確認方法を得る。【解決手段】設けられた持ち物を特定するための持ち物識別情報が予め記憶されたＩＣタグ１２を、収容体への収容を予定している持ち物５０Ａ〜５０Ｆに設け、収容体としての筆箱１４Ａ、体操着用袋１４Ｂに搭載されている無線送受信端末部２０Ａ、２０Ｂにより、収容が予定されている全ての持ち物に対応する前記持ち物識別情報と当該収容体を特定するための収容体識別情報とを予め記憶しておき、収容された持ち物に設けられているＩＣタグ１２から前記持ち物識別情報を読み出し、読み出した持ち物識別情報と予め記憶されている持ち物識別情報とを照合し、照合結果を示す情報を液晶ディスプレイ３０によって明示する。【選択図】        図１
2005280851.tif 000002
【特許請求の範囲】
【請求項１】
収容体への収容を予定している持ち物に設けられると共に、設けられた持ち物を特定するための持ち物識別情報が予め記憶された記憶装置と、
前記持ち物を収容する収容体であって、収容が予定されている全ての持ち物に対応する前記持ち物識別情報と当該収容体を特定するための収容体識別情報とが予め記憶された第１記憶手段、収容された持ち物に設けられている前記記憶装置から前記持ち物識別情報を読み出す読出手段、前記読出手段によって読み出した持ち物識別情報と前記第１記憶手段に記憶されている持ち物識別情報とを照合する第１照合手段、前記第１照合手段による照合結果を示す情報を明示する明示手段、及び前記第１照合手段による照合結果に関する情報と前記第１記憶手段に記憶されている収容体識別情報とを送信する送信手段を備えた第１収容体と、
前記第１収容体を収容する収容体であって、収容が予定されている全ての第１収容体に対応する前記収容体識別情報が予め記憶された第２記憶手段、収容された第１収容体の前記送信手段によって送信された前記照合結果に関する情報及び前記収容体識別情報を受信する受信手段、前記受信手段によって受信した収容体識別情報と前記第２記憶手段に記憶されている収容体識別情報とを照合する第２照合手段、及び前記第２照合手段による照合結果を示す情報と前記受信手段によって受信した前記照合結果に関する情報とを明示する第２明示手段を備えた第２収容体と、
を含む持ち物確認システム。
【請求項２】
前記第２収容体を、前記第１収容体と共に前記持ち物を直接収容するものとし、かつ当該第２収容体に、直接収容された前記持ち物に設けられている前記記憶装置から前記持ち物識別情報を読み出す第２読出手段を更に設け、
前記第２記憶手段は、前記第２収容体への直接の収容が予定されている全ての持ち物に対応する前記持ち物識別情報が更に予め記憶され、
前記第２照合手段は、前記第２読出手段によって読み出した持ち物識別情報と前記第２記憶手段に記憶されている持ち物識別情報とを更に照合する
請求項１記載の持ち物確認システム。
【請求項３】
前記第２記憶手段に記憶する前記収容体識別情報を、各々予め定められた複数の条件に対応する複数種類のものとし、
前記第２照合手段は、前記受信手段によって受信した収容体識別情報と、前記第２記憶手段に記憶されている、照合時点で合致する条件に対応する収容体識別情報と、を照合する
ことを特徴とする請求項１又は請求項２記載の持ち物確認システム。
【請求項４】
前記記憶装置を、ＩＣタグとした
ことを特徴とする請求項１乃至請求項３の何れか１項記載の持ち物確認システム。
【請求項５】
設けられた持ち物を特定するための持ち物識別情報が予め記憶された記憶装置を、収容体への収容を予定している持ち物に設け、
前記持ち物を収容する第１収容体により、収容が予定されている全ての持ち物に対応する前記持ち物識別情報と当該収容体を特定するための収容体識別情報とを第１記憶手段によって予め記憶しておき、収容された持ち物に設けられている前記記憶装置から前記持ち物識別情報を読み出し、読み出した持ち物識別情報と前記第１記憶手段に記憶されている持ち物識別情報とを照合し、照合結果を示す情報を明示すると共に、照合結果に関する情報と前記第１記憶手段に記憶されている収容体識別情報とを送信し、
前記第１収容体を収容する第２収容体により、収容が予定されている全ての第１収容体に対応する前記収容体識別情報を第２記憶手段によって予め記憶しておき、収容された第１収容体から送信された前記照合結果に関する情報及び前記収容体識別情報を受信し、受信した収容体識別情報と前記第２記憶手段に記憶されている収容体識別情報とを照合し、照合結果を示す情報と受信した前記照合結果に関する情報とを明示する、
持ち物確認方法。
【発明の詳細な説明】
【技術分野】
【０００１】
本発明は、持ち物確認システム及び持ち物確認方法に関し、特に、鞄、袋、箱等の収容体に収容された持ち物（所持品）の当該収容体への収容の有無を確認する持ち物確認システム及び持ち物確認方法に関する。
【背景技術】
【０００２】
外出時において携行すべき持ち物を不足なく所持するために、当該持ち物の名称をメモ帳やホワイドボード等に記録しておき、これを参照して所持しているものと照合したり、当該持ち物の名称をＰＤＡ（Personal Digital Assistant、携帯情報端末）等の情報処理装置に入力しておき、これを参照して所持しているものと照合する、といったことが従来から行われてきた。
【０００３】
しかしながら、この方法では、外出の度に持ち物の名称を記録したり、情報処理装置に入力する必要があるため手間がかかる上、見落とし等による忘れ物も頻発していた。
【０００４】
そこで、この問題を解決するために適用できる技術として、従来、当該ＩＣタグを識別するための識別情報を記憶したＩＣタグ複数と無線通信を行うＩＣタグ検知装置であって、当該ＩＣタグ検知装置に、前記各ＩＣタグの識別情報を記憶する記憶手段と、所定の時間毎に前記ＩＣタグそれぞれと通信を実行して、前記記憶手段に記憶された識別情報に対応するＩＣタグの存否を判定するＩＣタグ判定手段と、当該ＩＣタグ判定手段により存在しないと判定されたＩＣタグがあった場合に所定の報知を行う報知手段と、を備えた技術があった（例えば、特許文献１参照。）。
【０００５】
この技術を、前記ＩＣタグを外出時の持ち物に各々取り付けて適用することにより、忘れ物の発生を防止することができる。
【０００６】
なお、ＩＣタグは、ＲＦＩＤ（Radio Frequency Identification）タグやＩＤタグ、電磁誘導タグ等と呼ばれることもあるが、本明細書では、これらを総称してＩＣタグという。
【特許文献１】特開２００４−１３７８９公報
【発明の開示】
【発明が解決しようとする課題】
【０００７】
しかしながら、上記のＩＣタグを用いた従来技術を、持ち物を鞄、袋、箱等の収容体に収容し、かつ当該収容体自身も更に収容体に収容した状態で携行する場合に適用する場合、最も外側の収容体にＩＣタグ検知装置を設け、当該収容体において全ての収容物の識別情報を管理する必要があるため、当該管理が複雑となる、という問題点があった。
【０００８】
また、この場合、全ての持ち物及び収容体が収容された状態において、最も外側の収容体では、収容された持ち物に不足がある場合に、どの収容体に収容されるべき持ち物に不足があるのかが分かりにくい、という問題点があった。
【０００９】
本発明は上記問題点を解決するためになされたものであり、持ち物を収容体に収容し、かつ当該収容体も収容体に収容した状態で携行する場合において、複雑な管理を要することなく持ち物の収容状態を判断することのできる持ち物確認システム及び持ち物確認方法を提供することを目的とする。
【課題を解決するための手段】
【００１０】
上記目的を達成するために、請求項１記載の持ち物確認システムは、収容体への収容を予定している持ち物に設けられると共に、設けられた持ち物を特定するための持ち物識別情報が予め記憶された記憶装置と、前記持ち物を収容する収容体であって、収容が予定されている全ての持ち物に対応する前記持ち物識別情報と当該収容体を特定するための収容体識別情報とが予め記憶された第１記憶手段、収容された持ち物に設けられている前記記憶装置から前記持ち物識別情報を読み出す読出手段、前記読出手段によって読み出した持ち物識別情報と前記第１記憶手段に記憶されている持ち物識別情報とを照合する第１照合手段、前記第１照合手段による照合結果を示す情報を明示する明示手段、及び前記第１照合手段による照合結果に関する情報と前記第１記憶手段に記憶されている収容体識別情報とを送信する送信手段を備えた第１収容体と、前記第１収容体を収容する収容体であって、収容が予定されている全ての第１収容体に対応する前記収容体識別情報が予め記憶された第２記憶手段、収容された第１収容体の前記送信手段によって送信された前記照合結果に関する情報及び前記収容体識別情報を受信する受信手段、前記受信手段によって受信した収容体識別情報と前記第２記憶手段に記憶されている収容体識別情報とを照合する第２照合手段、及び前記第２照合手段による照合結果を示す情報と前記受信手段によって受信した前記照合結果に関する情報とを明示する第２明示手段を備えた第２収容体と、を含んでいる。
【００１１】
請求項１に記載の持ち物確認システムでは、収容体への収容を予定している持ち物に、当該持ち物を特定するための持ち物識別情報が予め記憶された記憶装置が設けられる。なお、上記持ち物識別情報には、当該記憶装置が設けられる持ち物の名称を示す情報の他、当該持ち物毎に異なる数値情報、文字情報、記号情報や、これらの情報を組み合わせて構成される情報等、当該記憶装置が設けられる持ち物を特定することのできるあらゆる情報が含まれる。
【００１２】
ここで、本発明の持ち物確認システムでは、前記持ち物を収容する第１収容体により、収容が予定されている全ての持ち物に対応する前記持ち物識別情報と当該収容体を特定するための収容体識別情報とが第１記憶手段によって予め記憶され、収容された持ち物に設けられている前記記憶装置から前記持ち物識別情報が読出手段によって読み出され、読み出された持ち物識別情報と前記第１記憶手段に記憶されている持ち物識別情報とが第１照合手段によって照合され、照合結果を示す情報が明示手段によって明示されると共に、当該照合結果に関する情報と前記第１記憶手段に記憶されている収容体識別情報とが送信手段によって送信される。
【００１３】
なお、上記収容物識別情報には、当該第１収容物の名称を示す情報の他、当該第１収容物毎に異なる数値情報、文字情報、記号情報や、これらの情報を組み合わせて構成される情報等、当該第１収容物を特定することのできるあらゆる情報が含まれる。また、上記第１記憶手段には、ＲＯＭ（Read Only Memory）、ＥＥＰＲＯＭ（Electrically Erasable and Programmable ROM）、フラッシュＥＥＰＲＯＭ（Flash EEPROM）等の記憶素子、スマート・メディア（SmartMedia(R)）、ｘＤピクチャーカード（xD-Picture Card）、コンパクト・フラッシュ（CompactFlash）、ＡＴＡ（AT Attachment）カード、マイクロドライブ、フロッピィディスク、ＣＤ−Ｒ（Compact Disc-Recordable）、ＣＤ−ＲＷ（Compact Disc-ReWritable）、光磁気ディスク等の可搬型記録媒体が含まれる。また、上記照合結果を示す情報及び上記照合結果に関する情報には、照合対象に不一致が発生した場合における当該不一致となった持ち物識別情報により特定される持ち物を示す情報が含まれる。更に、上記明示手段による明示には、表示による明示の他、音声による明示、発光手段の点灯や点滅等による明示等が含まれる。
【００１４】
一方、本発明では、前記第１収容体を収容する第２収容体により、収容が予定されている全ての第１収容体に対応する前記収容体識別情報が第２記憶手段によって予め記憶され、収容された第１収容体の前記送信手段によって送信された前記照合結果に関する情報及び前記収容体識別情報が受信手段によって受信され、受信された収容体識別情報と前記第２記憶手段に記憶されている収容体識別情報とが第２照合手段によって照合され、照合結果を示す情報と前記受信手段によって受信された前記照合結果に関する情報とが第２明示手段によって明示される。
【００１５】
なお、上記第２記憶手段には、ＲＯＭ、ＥＥＰＲＯＭ、フラッシュＥＥＰＲＯＭ等の記憶素子、スマート・メディア、ｘＤピクチャーカード、コンパクト・フラッシュ、ＡＴＡカード、マイクロドライブ、フロッピィディスク、ＣＤ−Ｒ、ＣＤ−ＲＷ、光磁気ディスク等の可搬型記録媒体が含まれる。また、上記照合結果を示す情報及び上記照合結果に関する情報には、照合対象に不一致が発生した場合における当該不一致となった収容体識別情報により特定される収容物を示す情報が含まれる。更に、上記第２明示手段による明示には、表示による明示の他、音声による明示、発光手段の点灯や点滅等による明示等が含まれる。
【００１６】
すなわち、本発明では、持ち物を収容する第１収容体において、当該第１収容体に収容されるべき持ち物を特定するための持ち物識別情報を記憶して当該持ち物を管理することにより、当該第１収容体を収容する第２収容体での持ち物の管理を分散するようにしており、これによって当該管理を単純化するようにしている。
【００１７】
また、本発明では、第１収容体における当該第１収容体に収容されている持ち物の照合結果に関する情報と当該第１収容体を特定するための収容体識別情報とを第２収容体に送信するようにしており、これによって当該第２収容体において、どの第１収容体に収容されるべき持ち物に不備があるのかが分かるようにしている。
【００１８】
このように、請求項１に記載の持ち物確認システムによれば、設けられた持ち物を特定するための持ち物識別情報が予め記憶された記憶装置を、収容体への収容を予定している持ち物に設け、前記持ち物を収容する第１収容体により、収容が予定されている全ての持ち物に対応する前記持ち物識別情報と当該収容体を特定するための収容体識別情報とを第１記憶手段によって予め記憶しておき、収容された持ち物に設けられている前記記憶装置から前記持ち物識別情報を読み出し、読み出した持ち物識別情報と前記第１記憶手段に記憶されている持ち物識別情報とを照合し、照合結果を示す情報を明示すると共に、照合結果に関する情報と前記第１記憶手段に記憶されている収容体識別情報とを送信し、前記第１収容体を収容する第２収容体により、収容が予定されている全ての第１収容体に対応する前記収容体識別情報を第２記憶手段によって予め記憶しておき、収容された第１収容体から送信された前記照合結果に関する情報及び前記収容体識別情報を受信し、受信した収容体識別情報と前記第２記憶手段に記憶されている収容体識別情報とを照合し、照合結果を示す情報と受信した前記照合結果に関する情報とを明示しているので、複雑な管理を要することなく持ち物の収容状態を判断することができる。
【００１９】
なお、本発明は、請求項２に記載の発明のように、前記第２収容体を、前記第１収容体と共に前記持ち物を直接収容するものとし、かつ当該第２収容体に、直接収容された前記持ち物に設けられている前記記憶装置から前記持ち物識別情報を読み出す第２読出手段を更に設け、前記第２記憶手段は、前記第２収容体への直接の収容が予定されている全ての持ち物に対応する前記持ち物識別情報が更に予め記憶され、前記第２照合手段は、前記第２読出手段によって読み出した持ち物識別情報と前記第２記憶手段に記憶されている持ち物識別情報とを更に照合することが好ましい。これによって、第２収容体に直接収容される持ち物についても、複雑な管理を要することなく収容状態を判断することができる。
【００２０】
また、本発明は、請求項３に記載の発明のように、前記第２記憶手段に記憶する前記収容体識別情報を、各々予め定められた複数の条件に対応する複数種類のものとし、前記第２照合手段は、前記受信手段によって受信した収容体識別情報と、前記第２記憶手段に記憶されている、照合時点で合致する条件に対応する収容体識別情報と、を照合することが好ましい。これによって、照合時点で合致する条件に応じて照合すべき収容体識別情報を切り替えることができ、より利便性を向上することができる。
【００２１】
なお、上記複数の条件には、照合当日の曜日、月等の暦上の条件や、気温、湿度等の環境条件が含まれる。
【００２２】
更に、本発明は、請求項４に記載の発明のように、前記記憶装置を、ＩＣタグとすることが好ましい。これによって、本発明の記憶装置を小型化することができ、設けられた持ち物に対する使い勝手等に対する影響を低減することができる。
【００２３】
一方、上記目的を達成するために、請求項５記載の持ち物確認方法は、設けられた持ち物を特定するための持ち物識別情報が予め記憶された記憶装置を、収容体への収容を予定している持ち物に設け、前記持ち物を収容する第１収容体により、収容が予定されている全ての持ち物に対応する前記持ち物識別情報と当該収容体を特定するための収容体識別情報とを第１記憶手段によって予め記憶しておき、収容された持ち物に設けられている前記記憶装置から前記持ち物識別情報を読み出し、読み出した持ち物識別情報と前記第１記憶手段に記憶されている持ち物識別情報とを照合し、照合結果を示す情報を明示すると共に、照合結果に関する情報と前記第１記憶手段に記憶されている収容体識別情報とを送信し、前記第１収容体を収容する第２収容体により、収容が予定されている全ての第１収容体に対応する前記収容体識別情報を第２記憶手段によって予め記憶しておき、収容された第１収容体から送信された前記照合結果に関する情報及び前記収容体識別情報を受信し、受信した収容体識別情報と前記第２記憶手段に記憶されている収容体識別情報とを照合し、照合結果を示す情報と受信した前記照合結果に関する情報とを明示するものである。
【００２４】
従って、請求項５に記載の持ち物確認方法は、請求項１記載の発明と同様に作用するので、請求項１記載の発明と同様に、複雑な管理を要することなく持ち物の収容状態を判断することができる。
【発明の効果】
【００２５】
本発明によれば、設けられた持ち物を特定するための持ち物識別情報が予め記憶された記憶装置を、収容体への収容を予定している持ち物に設け、前記持ち物を収容する第１収容体により、収容が予定されている全ての持ち物に対応する前記持ち物識別情報と当該収容体を特定するための収容体識別情報とを第１記憶手段によって予め記憶しておき、収容された持ち物に設けられている前記記憶装置から前記持ち物識別情報を読み出し、読み出した持ち物識別情報と前記第１記憶手段に記憶されている持ち物識別情報とを照合し、照合結果を示す情報を明示すると共に、照合結果に関する情報と前記第１記憶手段に記憶されている収容体識別情報とを送信し、前記第１収容体を収容する第２収容体により、収容が予定されている全ての第１収容体に対応する前記収容体識別情報を第２記憶手段によって予め記憶しておき、収容された第１収容体から送信された前記照合結果に関する情報及び前記収容体識別情報を受信し、受信した収容体識別情報と前記第２記憶手段に記憶されている収容体識別情報とを照合し、照合結果を示す情報と受信した前記照合結果に関する情報とを明示しているので、複雑な管理を要することなく持ち物の収容状態を判断することができる、という効果が得られる。
【発明を実施するための最良の形態】
【００２６】
以下、図面を参照して、本発明の実施の形態について詳細に説明する。なお、ここでは、本発明をランドセルに収容される持ち物の管理に適用した場合について説明する。
【００２７】
まず、図１を参照して、本実施の形態に係る持ち物確認システム１０の構成について説明する。
【００２８】
同図に示すように、この持ち物確認システム１０は、持ち物としての鉛筆５０Ａ、消しゴム５０Ｂ、赤ペン５０Ｃ、シャツ５０Ｄ、パンツ５０Ｄ、教科書５０Ｅ、ノート５０Ｆ等に各々設けられた記憶装置としての複数のＩＣタグ１２と、第１収容体としての筆箱１４Ａ及び体操着用袋１４Ｂと、第２収容体としてのランドセル１６と、を含んで構成されている。
【００２９】
また、筆箱１４Ａには無線送受信端末部２０Ａが、体操着用袋１４Ｂには無線送受信端末部２０Ｂが、ランドセル１６には無線送受信端末部２０Ｃが、各々設けられている。
【００３０】
本実施の形態に係る持ち物確認システム１０では、ランドセル１６に収容される持ち物の各々に対して自身を特定するための持ち物識別情報が予め付与されると共に、ランドセル１６に収容される筆箱１４Ａ及び体操着用袋１４Ｂに対して自身を特定するための収容体識別情報が予め付与されている。
【００３１】
そして、持ち物確認システム１０では、各収容体に設けられた無線送受信端末部により、自身に直接収容される収容物を、当該収容物に付与された識別情報（持ち物識別情報又は収容体識別情報）を予め登録しておき、登録した識別情報に基づいて管理するようにしている。従って、本実施の形態に係る持ち物確認システム１０では、ランドセル１６を第１階層として、当該ランドセル１６に直接収容される収容体（筆箱１４Ａ及び体操着用袋１４Ｂ）及び持ち物が第２階層となり、更に当該収容体に収容される持ち物が第３階層となる３階層の構成で各収容物が管理されることになる。
【００３２】
また、持ち物確認システム１０は、ランドセル１６に収容する持ち物及び収容体を曜日毎に切り替えることができるものとされている。
【００３３】
以上の各収容物の管理状態を次の表１に示す。
【００３４】
【表１】
2005280851.tif 000003
【００３５】
なお、表１における各持ち物の名称及び当該名称に付された括弧内の数字が持ち物識別情報で、各収容体の名称及び当該名称に付された括弧内の数字が収容体識別情報であり、本実施の形態では、各識別情報として文字情報及び数値情報を適用している。
【００３６】
次に、図２を参照して、本実施の形態に係る無線送受信端末部２０Ａ〜２０Ｃの電気系の主要構成について説明する。
【００３７】
同図に示すように、本実施の形態に係る無線送受信端末部２０Ａ〜２０Ｃは、無線送受信端末部全体の動作を司るＣＰＵ２２と、ＣＰＵ２２による各種処理プログラムの実行時のワークエリア等として用いられるＲＡＭ（Random Access Memory）２４と、各種処理プログラム、識別情報、各種パラメータ等が予め記憶されたフラッシュメモリ２６と、各種情報を入力するために用いられる操作部２８と、各種情報を表示するために用いられる液晶ディスプレイ３０と、各持ち物に設けられているＩＣタグ１２との間の各種情報の送受信を行うと共に他の無線送受信端末部との間の各種情報の送受信を行う送受信部３２と、がシステムバスＢＵＳにより相互に接続されて構成されている。なお、送受信部３２には、ＩＣタグ１２及び他の無線送受信端末部との間で各種情報を無線で送受信するためのアンテナ３４が接続されている。
【００３８】
従って、ＣＰＵ２２は、ＲＡＭ２４、及びフラッシュメモリ２６に対するアクセス、操作部２８を介した各種入力情報の取得、液晶ディスプレイ３０に対する各種情報の表示、及び送受信部３２及びアンテナ３４を介した各ＩＣタグ１２及び他の無線送受信端末部との間の各種情報の授受、を各々行うことができる。なお、図示は省略するが、無線送受信端末部２０Ａ〜２０Ｃには、ＩＣタグ１２に対して駆動用の電力を電磁誘導によって供給する電力供給部も備えられている。
【００３９】
なお、操作部２８には、収容物に予め付与された識別情報を登録する際に押圧操作される登録ボタン２８Ａ及び収容物を確認する際に押圧操作される参照ボタン２８Ｂが含まれており、図１に示すように、無線送受信端末部２０Ａ〜２０Ｃは、登録ボタン２８Ａ及び参照ボタン２８Ｂが収容体の外部に露出した状態で各収容体に搭載されている。また、図１に示すように、無線送受信端末部２０Ａ〜２０Ｃは、液晶ディスプレイ３０もまた収容体の外部に露出した状態で各収容体に搭載される。
【００４０】
次に、図３を参照して、本実施の形態に係るＩＣタグ１２の電気系の主要構成について説明する。
【００４１】
同図に示すように、本実施の形態に係るＩＣタグ１２は、ＩＣタグ１２全体を制御するＣＰＵ（中央処理装置）４０と、各種情報の書き込み及び読み出しが可能に構成された不揮発性のメモリ４２と、アンテナ４８を介して外部装置との間の各種情報の送受信を行う送受信部４４と、外部装置から電磁誘導によって供給された電力を蓄電するコンデンサ４６と、を備えている。
【００４２】
ここで、ＣＰＵ４０は、送受信部４４及びメモリ４２に接続されている。従って、ＣＰＵ４０は、外部装置から送信された情報をアンテナ４８及び送受信部４４を介し取得してメモリ４２に記憶させたり、メモリ４２に記憶されている情報に対して各種処理を施したり、メモリ４２に記憶されている情報を送受信部４４及びアンテナ４８を介して外部装置に送信すること等ができる。
【００４３】
一方、送受信部４４及びＣＰＵ４０にはコンデンサ４６が接続されており、送受信部４４及びＣＰＵ４０への駆動用の給電はコンデンサ４６によって行われる。なお、メモリ４２への給電は、コンデンサ４６よりＣＰＵ４０を介して行われる。
【００４４】
図４には、各ＩＣタグ１２のメモリ４２に予め記憶されている持ち物識別情報が模式的に示されている。
【００４５】
同図に示すように、本実施の形態では、各ＩＣタグ１２のメモリ４２に対して、当該ＩＣタグ１２が設けられている持ち物の名称及び当該持ち物を示す数値情報が、持ち物識別情報として予め記憶される。
【００４６】
また、図５には、筆箱１４Ａ（第１収容体）に搭載された無線送受信端末部２０Ａのフラッシュメモリ２６に予め記憶される識別情報が模式的に示されている。
【００４７】
同図に示すように、本実施の形態では、第１収容体に搭載された無線送受信端末部のフラッシュメモリ２６に対して、当該第１収容体への収容が予定されている全ての持ち物に対応する持ち物識別情報と、当該第１収容体を特定するための収容体識別情報が予め記憶される。
【００４８】
一方、図６には、ランドセル１６（第２収容体）に搭載された無線送受信端末部２０Ｃのフラッシュメモリ２６に予め記憶される識別情報が模式的に示されている。
【００４９】
同図に示すように、本実施の形態では、第２収容体に搭載された無線送受信端末部のフラッシュメモリ２６に対して、当該第２収容体への収容が予定されている全ての収容体に対応する収容体識別情報と全ての持ち物に対応する持ち物識別情報が、適用する曜日別に予め記憶される。
【００５０】
次に、本実施の形態に係る持ち物確認システム１０の作用を説明する。
【００５１】
まず、図７を参照して、無線送受信端末部２０Ａ〜２０Ｃにおいて実行される識別情報登録処理について説明する。なお、図７は、無線送受信端末部２０Ａ〜２０Ｃにおいて、登録ボタン２８Ａが押圧操作された際に当該無線送受信端末部のＣＰＵ２２により実行される識別情報登録処理プログラムの処理の流れを示すフローチャートであり、当該プログラムはフラッシュメモリ２６の所定領域に予め記憶されている。また、ここでは、錯綜を回避するために、各ＩＣタグ１２のメモリ４２には、設けられた持ち物に付与された持ち物識別情報が予め記憶されており、各無線送受信端末部２０Ａ〜２０Ｃのフラッシュメモリ２６には、搭載されている収容体に付与された収容体識別情報が予め記憶されている場合について説明する。
【００５２】
当該識別情報登録処理を実行する際にユーザは、対象とする収容体に対し、収容を予定している収容物を収容し、その後に登録ボタン２８Ａを押圧操作する。
【００５３】
この際、ユーザは、当該識別情報登録処理が第１収容体としてのランドセル１６に搭載された無線送受信端末部２０Ｃにおいて実行される際には、操作部２８に設けられた不図示の曜日指定ボタンにより登録対象とする曜日を予め指定しておく。
【００５４】
ユーザによって登録ボタン２８Ａが押圧操作されると、識別情報登録処理プログラムの実行が開始され、まず、図７のステップ１００では、全ての収容物の識別情報を読み出す。
【００５５】
なお、ここで、収容されている収容体の収容体識別情報を読み出す場合は、収容されている収容体に対して、収容体識別情報の送信を指示する指示信号を、送受信部３２を介して送信する。これに応じて収容されている収容体に搭載されている無線送受信端末部は、フラッシュメモリ２６に予め記憶されている収容体識別情報を、送受信部３２を介して送信する。以上の動作により、収容されている収容体の収容体識別情報が送受信部３２を介して読み出すことができる。
【００５６】
次のステップ１０２では、上記ステップ１００の処理によって１以上の識別情報が読み出されたか否かを判定し、否定判定となった場合はステップ１１２に移行して、収容物が収容されていない可能性がある、ＩＣタグ１２が故障している可能性がある、収容した収容体に設けられた無線送受信端末部が故障している可能性がある、といったエラー表示を液晶ディスプレイ３０によって行った後に本識別情報登録処理プログラムを終了する。
【００５７】
一方、上記ステップ１０２において肯定判定となった場合にはステップ１０４に移行し、上記ステップ１００の処理によって読み出した識別情報に基づいて登録予定物一覧画像を液晶ディスプレイ３０によって表示し、その後にステップ１０６にてユーザによる所定操作の実行待ちを行う。
【００５８】
図８には、上記ステップ１０４の処理によって液晶ディスプレイ３０に表示される登録予定物一覧画像の表示状態例が示されている。なお、図８（Ａ）は、収容物が持ち物のみの場合の表示状態例であり、図８（Ｂ）は、収容物に持ち物及び収容体が含まれる場合の表示状態例である。
【００５９】
同図に示すように、本実施の形態に係る登録予定物一覧画像では、登録を実行する場合に登録ボタン２８Ａを長押しすることを指示する旨のメッセージと共に、上記ステップ１００の処理によって読み出された識別情報に含まれる収容物の名称を一覧表示する。
【００６０】
以上のような登録予定物一覧画像が液晶ディスプレイ３０に表示されると、ユーザは、一覧表示されている収容物を登録する場合は登録ボタン２８Ａを長押しし、表示された収容物に不備がある場合には不図示のキャンセルボタンを押圧操作する。これに応じて、上記ステップ１０６が肯定判定となってステップ１０８に移行する。
【００６１】
ステップ１０８では、ユーザによって登録ボタン２８Ａが長押しされたか否かを判定することにより、ユーザによって一覧表示した収容物の登録の指示が行われたか否かを判定し、肯定判定となった場合はステップ１１０に移行して、一覧表示した収容物に対応する識別情報をフラッシュメモリ２６の所定領域に記憶（登録）した後に本識別情報登録処理プログラムを終了し、否定判定となった場合は上記ステップ１１０の処理を実行することなく本識別情報登録処理プログラムを終了する。
【００６２】
なお、当該識別情報登録処理プログラムが第２収容体としてのランドセル１６に搭載された無線送受信端末部２０Ｃにおいて実行されている場合に、上記ステップ１１０では、ユーザによって予め指定されている曜日を示す情報に関連付けて、一覧表示した収容物に対応する識別情報を記憶するようにする。
【００６３】
以上の識別情報登録処理を無線送受信端末部２０Ａ〜２０Ｃの全てについて実行することにより、無線送受信端末部２０Ａ及び無線送受信端末部２０Ｂの各々のフラッシュメモリ２６には、一例として図５に示すような直下階層の識別情報（ここでは、持ち物識別情報）が登録されると共に、無線送受信端末部２０Ｃのフラッシュメモリ２６には、一例として図６に示すような直下階層の識別情報（ここでは、持ち物識別情報及び収容体識別情報）が適用する曜日に関連付けられた状態で登録されることになる。
【００６４】
次に、図９を参照して、無線送受信端末部２０Ａ〜２０Ｃにおいて実行される収容物確認処理について説明する。なお、図９は、無線送受信端末部２０Ａ〜２０Ｃにおいて、参照ボタン２８Ｂが押圧操作された際に当該無線送受信端末部のＣＰＵ２２により実行される収容物確認処理プログラムの処理の流れを示すフローチャートであり、当該プログラムもフラッシュメモリ２６の所定領域に予め記憶されている。また、ここでは、ＣＰＵ２２に、現時点の曜日を特定することのできるタイマが内蔵されている場合について説明する。
【００６５】
当該収容物確認処理を実行する際にユーザは、対象とする収容体に対し、収容すべき収容物を収容した後に参照ボタン２８Ｂを押圧操作する。
【００６６】
これに応じて収容物確認処理プログラムの実行が開始され、まず、図９のステップ２００では、全ての収容物の識別情報を読み出す。
【００６７】
なお、ここで、収容されている収容体の収容体識別情報を読み出す場合は、前述した識別情報登録処理プログラムのステップ１００の処理と同様に、収容されている収容体に対して、収容体識別情報の送信を指示する指示信号を、送受信部３２を介して送信する。これに応じて収容されている収容体に搭載されている無線送受信端末部は、フラッシュメモリ２６に予め記憶されている収容体識別情報を、送受信部３２を介して送信する。以上の動作により、収容されている収容体の収容体識別情報が送受信部３２を介して読み出すことができる。
【００６８】
次のステップ２０２では、上記ステップ２００の処理によって１以上の識別情報が読み出されたか否かを判定し、否定判定となった場合は後述するステップ２１４に移行し、肯定判定となった場合はステップ２０４に移行する。
【００６９】
ステップ２０４では、フラッシュメモリ２６に予め登録されている直下階層の識別情報を読み出し、次のステップ２０６では、上記ステップ２００の処理によって読み出した識別情報と上記ステップ２０４の処理によって読み出した識別情報とを照合し、更に、次のステップ２０８にて、不一致となった識別情報が存在するか否かを判定し、否定判定となった場合は後述するステップ２１４に移行し、肯定判定となった場合はステップ２１０に移行する。なお、当該収容物確認処理が第２収容体としてのランドセル１６に搭載された無線送受信端末部２０Ｃにおいて実行される際には、上記ステップ２０４の処理では、ＣＰＵ２２に内蔵された不図示のタイマによって特定される、この時点の曜日に関連付けられて登録されている識別情報を読み出すようにする。
【００７０】
ステップ２１０では、上記ステップ２０６の処理による照合結果を示す不備明示画像を液晶ディスプレイ３０によって表示する。
【００７１】
図１０（Ａ）には、このとき液晶ディスプレイ３０によって表示される不備明示画像の表示状態例が示されている。なお、図１０（Ａ）は、収容物が持ち物のみの場合の表示状態例を示している。
【００７２】
同図に示すように、本実施の形態に係る不備明示画像では、上記ステップ２０６の処理による照合の結果、上記ステップ２００の処理によって収容物から読み出した識別情報になく、上記ステップ２０４の処理によって読み出した識別情報にある識別情報によって特定される持ち物や収容体の名称を不足している収容物として表示すると共に、上記ステップ２００の処理によって収容物から読み出した識別情報にあり、上記ステップ２０４の処理によって読み出した識別情報にない識別情報によって特定される持ち物や収容体の名称を余分な収容物として表示している。
【００７３】
次のステップ２１２では、上記ステップ２０６の処理による照合結果に関する情報（本実施の形態では、上記不足している収容物を示す情報及び上記余分な収容物を示す情報）と、自身が設けられている収容体を特定するための収容体識別情報とを自身を収容している収容体に対して送信するように送受信部３２を設定し、その後にステップ２１４に移行する。上記ステップ２１２の処理により、これ以降、所定期間（本実施の形態では、１秒）毎に、上記照合結果に関する情報及び自身が設けられている収容体を特定するための収容体識別情報が送受信部３２を介して送信されることになる。
【００７４】
そこで、次のステップ２１４では、これらの情報が、自身が搭載されている収容体に収容されている収容体から受信されたか否かを判定し、肯定判定となった場合はステップ２１６に移行して、受信した情報に基づく情報を液晶ディスプレイ３０に表示（不備明示画像が既に表示されている場合は当該不備明示画像に対して追加表示）し、その後に本収容物確認処理プログラムを終了する。一方、上記ステップ２１４において否定判定となった場合は、上記ステップ２１６の処理を実行することなく本収容物確認処理プログラムを終了する。
【００７５】
図１０（Ｂ）には、上記ステップ２１６の処理によって更新された不備明示画像の表示状態例が示されている。
【００７６】
同図に示すように、当該不備明示画像では、自身が搭載されている収容体に収容された収容体から受信された照合結果に関する情報及び当該収容体を特定するための収容体識別情報に基づいて、収容されている持ち物が不足している収容体の名称と、当該不足している持ち物の名称を表示している。
【００７７】
従って、当該表示画像を参照することにより、ユーザは、最も外側の収容体（ランドセル１６）への収容体ないし持ち物の収容作業が終了した後でも、収容された持ち物に不足がある場合において、どの収容体に収容されるべき持ち物に不足があるのかを容易に判断することができる。
【００７８】
以上詳細に説明したように、本実施の形態によれば、設けられた持ち物を特定するための持ち物識別情報が予め記憶された記憶装置（ここでは、ＩＣタグ１２）を、収容体への収容を予定している持ち物に設け、前記持ち物を収容する第１収容体（ここでは、筆箱１４Ａ、体操着用袋１４Ｂ）により、収容が予定されている全ての持ち物に対応する前記持ち物識別情報と当該収容体を特定するための収容体識別情報とを第１記憶手段（ここでは、フラッシュメモリ２６）によって予め記憶しておき、収容された持ち物に設けられている前記記憶装置から前記持ち物識別情報を読み出し、読み出した持ち物識別情報と前記第１記憶手段に記憶されている持ち物識別情報とを照合し、照合結果を示す情報を明示すると共に、照合結果に関する情報と前記第１記憶手段に記憶されている収容体識別情報とを送信し、前記第１収容体を収容する第２収容体（ここでは、ランドセル１６）により、収容が予定されている全ての第１収容体に対応する前記収容体識別情報を第２記憶手段（ここでは、フラッシュメモリ２６）によって予め記憶しておき、収容された第１収容体から送信された前記照合結果に関する情報及び前記収容体識別情報を受信し、受信した収容体識別情報と前記第２記憶手段に記憶されている収容体識別情報とを照合し、照合結果を示す情報と受信した前記照合結果に関する情報とを明示しているので、複雑な管理を要することなく持ち物の収容状態を判断することができる。
【００７９】
また、本実施の形態によれば、前記第２収容体を、前記第１収容体と共に前記持ち物を直接収容するものとし、かつ当該第２収容体に、直接収容された前記持ち物に設けられている前記記憶装置から前記持ち物識別情報を読み出すと共に、前記第２記憶手段に、前記第２収容体への直接の収容が予定されている全ての持ち物に対応する前記持ち物識別情報を更に予め記憶しておき、読み出した持ち物識別情報と前記第２記憶手段に記憶されている持ち物識別情報とを更に照合しているので、第２収容体に直接収容される持ち物についても、複雑な管理を要することなく収容状態を判断することができる。
【００８０】
また、本実施の形態によれば、前記第２記憶手段に記憶する前記収容体識別情報を、各々予め定められた複数の条件（ここでは、曜日）に対応する複数種類のものとし、受信した収容体識別情報と、前記第２記憶手段に記憶されている、照合時点で合致する条件に対応する収容体識別情報と、を照合しているので、照合時点で合致する条件に応じて照合すべき収容体識別情報を切り替えることができ、より利便性を向上することができる。
【００８１】
更に、本実施の形態によれば、本発明の記憶装置としてＩＣタグを適用しているので、当該記憶装置を小型のものとすることができ、設けられた持ち物に対する使い勝手等に対する影響を低減することができる。
【００８２】
なお、本実施の形態で説明した識別情報登録処理プログラム及び収容物確認処理プログラムの処理の流れ（図７、図９参照。）は一例であり、本発明の主旨を逸脱しない範囲内において適宜変更可能であることは言うまでもない。
【００８３】
例えば、当該収容物確認処理プログラムでは、収容物に不備があった場合に照合結果に関する情報及び自身を特定するための収容体識別情報を、当該収容体を収容する収容体に対して能動的に送信する場合について説明したが、本発明はこれに限定されるものではなく、前記当該収容体を収容する収容体からの送信要求があった場合のみに、これらの情報を受動的に送信する形態とすることもできる。この場合も、本実施の形態と同様の効果を奏することができる。
【００８４】
また、本実施の形態で説明した持ち物確認システム１０の構成（図１〜図３参照。）も一例であり、本発明の主旨を逸脱しない範囲内において適宜変更可能であることは言うまでもない。
【００８５】
例えば、本実施の形態では、本発明をランドセルに収容される持ち物の管理に適用した場合について説明したが、本発明はこれに限定されるものではなく、例えば、本発明を旅行時において旅行鞄に収容される持ち物の管理に適用する形態とすることもできる。この場合も、本実施の形態と同様の効果を奏することができる。
【００８６】
更に、本実施の形態で示した表示画像の表示状態（図８、図１０参照。）も一例であり、本発明の主旨を逸脱しない範囲内において適宜変更可能であることは言うまでもない。
【図面の簡単な説明】
【００８７】
【図１】実施の形態に係る持ち物確認システム１０の構成を示す概略図である。
【図２】実施の形態に係る無線送受信端末部２０Ａ〜２０Ｃの電気系の主要構成を示すブロック図である。
【図３】実施の形態に係るＩＣタグ１２の電気系の主要構成を示すブロック図である。
【図４】実施の形態に係るＩＣタグ１２のメモリ４２に予め記憶されている持ち物識別情報を示す模式図である。
【図５】実施の形態に係る第１収容体（筆箱１４Ａ）に搭載された無線送受信端末部のフラッシュメモリ２６に予め記憶される識別情報を示す模式図である。
【図６】実施の形態に係る第２収容体（ランドセル１６）に搭載された無線送受信端末部のフラッシュメモリ２６に予め記憶される識別情報を示す模式図である。
【図７】実施の形態に係る識別情報登録処理プログラムの処理の流れを示すフローチャートである。
【図８】実施の形態に係る登録予定物一覧画像の表示状態例を示す概略図である。
【図９】実施の形態に係る収容物確認処理プログラムの処理の流れを示すフローチャートである。
【図１０】実施の形態に係る不備明示画像の表示状態例を示す概略図である。
【符号の説明】
【００８８】
１０    持ち物確認システム
１２    ＩＣタグ（記憶装置）
１４Ａ    筆箱（第１収容体）
１４Ｂ    体操着用袋（第１収容体）
１６    ランドセル（第２収容体）
２０Ａ〜２０Ｃ    無線送受信端末部
２２    ＣＰＵ（読出手段、第１照合手段、第２照合手段、第２読出手段）
２６    フラッシュメモリ（第１記憶手段、第２記憶手段）
２８Ａ    登録ボタン
２８Ｂ    参照ボタン
３０    液晶ディスプレイ（明示手段、第２明示手段）
３２    送受信部（送信手段、受信手段）
５０Ａ〜５０Ｆ    持ち物
【図１】
2005280851.tif 000004
【図２】
2005280851.tif 000005
【図３】
2005280851.tif 000006
【図４】
2005280851.tif 000007
【図５】
2005280851.tif 000008
【図６】
2005280851.tif 000009
【図７】
2005280851.tif 000010
【図８】
2005280851.tif 000011
【図９】
2005280851.tif 000012
【図１０】
2005280851.tif 000013